(57)【要約】      （修正有）【課題】トイレ用洗剤の交換回数を少なくできるトイレタンク上部カバーを提供する。【解決手段】トイレタンク上部カバー１０であって、広い空間を利用して液体洗剤を備えるためのコンパートメント３０と、液体洗剤の一回量を手動で分注するディスペンサー３２と、を含む。【選択図】図１
0003215803.tif 000002
【実用新案登録請求の範囲】
【請求項１】
トイレタンク上部カバー（１０）であって、該トイレタンク上部カバーは、
液体洗剤（４８）を含むためのコンパートメント（３０）と、
前記コンパートメント（３０）から下方に、前記トイレタンク上部カバーによって覆われるトイレタンク（１２）へと、前記液体洗剤（４８）の一回量を手動で分注するためのディスペンサー（３２）と、を含み、
それにより、前記トイレタンク（１２）の長い長さ（５６）および広い幅（５８）に適合するような、前記コンパートメント（３０）の広い空間を利用し、前記液体洗剤（４８）をそこから分注することを特徴とする、トイレタンク上部カバー（１０）。
【請求項２】
前記ディスペンサー（３２）は、前記コンパートメント（３０）の底部に配置されるチャンバー（５０）を含み、
それにより、前記液体洗剤（４８）の一回量の下方へ前記トイレタンク（１２）への手動での分注が、前記コンパートメント（３０）の底部（６６）から受け取られる（２２）ことを特徴とする、請求項１に記載のトイレタンク上部カバー（１０）。
【請求項３】
前記チャンバー（５０）は、
前記コンパートメント（３０）の前記底部（６６）から前記液体洗剤（４８）を受け取る（２０）ために、前記チャンバー（５０）の上部に配置される、少なくとも１つの入口（３８Ａ）と；
分注させないよう、前記ディスペンサー（３２）が押されていない状態で閉じるために、かつ、前記ディスペンサー（３２）が押された状態で開くために、前記チャンバー（５０）の底部に配置される、少なくとも１つの出口（３８Ｂ）と、を含み、
それにより、分注は、開いている間に前記少なくとも一つの出口（３８Ｂ）を通る、前記チャンバ（５０）からの前記液体洗剤（４８）の自由落下（２２）、を含むことを特徴とする、請求項２に記載のトイレタンク上部カバー（１０）。
【請求項４】
前記少なくとも１つの入口（３８Ａ）は、前記チャンバー（５０）の充填（２０）に必要な時間を増やすのに十分小さく、
それにより頻繁な分注操作を可能にしないことを特徴とする、請求項３に記載のトイレタンク上部カバー（１０）。
【請求項５】
前記少なくとも１つの出口（３８Ｂ）は、前記チャンバー（５０）を空にすること（２２）に必要な期間を短くするのに十分大きく、
それにより前記押された状態の期間が短くなることを特徴とする、請求項３に記載のトイレタンク上部カバー（１０）。
【請求項６】
前記ディスペンサー（３２）はさらに、シリンダ（６０）を含み、
前記シリンダは、それに関連して前記チャンバー（５０）をスライドさせることにより、前記少なくとも１つの入り口（３８Ａ）または前記少なくとも１つの出口（３８Ｂ）のいずれかを覆う、シリンダ（６０）を含むことを特徴とする請求項３に記載のトイレタンク上部カバー（１０）。
【考案の詳細な説明】
【技術分野】
【０００１】
本考案はトイレの分野に関する。
【背景技術】
【０００２】
洗剤は、従来、比較的小さなタンクからトイレに分注されるため、時々それを交換する必要があるという欠点がある。
【考案の概要】
【０００３】
トイレタンク上部カバーであって、
液体洗剤を含むためのコンパートメント；および
ディスペンサーを含み、
それにより、コンパートメントの広い空間を利用する。
【図面の簡単な説明】
【０００４】
【図１】図１は、ディスペンサーが押されていない状態の本考案の一実施形態に係るトイレタンク上部カバーおよび便器タンクの残りの部分の切断面斜視図である。
【図２】図２は、まだディスペンサーが押されていない状態の図１のトイレタンク上部カバーのさらなる切断面図である。
【図３】図３は、ディスペンサーが押されている状態の図２のトイレタンク上部カバーの切断面図である。
【図４】図４は、図１のトイレタンク上部カバーによって覆われているトイレの斜視図である。
【考案を実施するための形態】
【０００５】
図１は、ディスペンサーが押されていない状態の本考案の一実施形態に係るトイレタンク上部カバーおよび便器タンクの残りの部分の切断面斜視図である。
【０００６】
先行技術のトイレタンク上部カバーは、トイレタンク（１２）の上部を単に覆うためのプレートを構成する。
【０００７】
先行技術のトイレタンク上部カバーとは対照的に、本考案の一実施形態に係るトイレタンク上部カバー（１０）は、上部プレート（５４）を除いて、下方にトイレタンク（１２）へと液体洗剤の一回量を手動で分注するために、液体洗剤を含むためのコンパートメント（３０）を含んでいる。
【０００８】
したがって、トイレタンク上部カバー（１０）は、水洗のための水を含まず、トイレタンク（１２）の上部の高さが低いにもかかわらず、大量の洗剤を含むための大きな表面を有するようなトイレタンク（１２）の上部を利用する。
【０００９】
トイレタンク上部カバー（１０）は、コンパートメント（３０）の底部に配置される、液体洗剤から一回量を分注するための液体ディスペンサー（３２）を含む。
【００１０】
分注は、液体ディスペンサー（３２）のノブ（１８）を図１の押されていない状態（５２Ａ）から下方に押すことによって、手動で操作される。
【００１１】
図２は、まだディスペンサーが押されていない状態の図１のトイレタンク上部カバーのさらなる切断面図である。
【００１２】
液体ディスペンサー（３２）は、一回量に等しい大きさのチャンバー（５０）を含み、該チャンバーは、チャンバー（５０）への入口として機能するための、かつ少なくとも１つの上部開口（３８Ａ）と、チャンバー（５０）からの出口として機能するための少なくとも１つの底部開口（３８Ｂ）と、を含む。
【００１３】
ディスペンサー（３２）が押されていない状態（５２Ａ）では、チャンバー（５０）は高い位置に配置され、それにより、コンパートメント（３０）に入口（３８Ａ）を露出させる。高い位置では、入口（３８Ａ）は開いており、したがって、液体洗剤（４８）は重力の自由落下のみによってコンパートメント（３０）からチャンバー（５０）に入る。ディスペンサー（３２）が押されていない状態（５２Ａ）では、出口（３８Ｂ）は閉まっており、したがって、液体洗剤（４８）はコンパートメント（３０）内に閉じ込められる。
【００１４】
押されていない状態（５２Ａ）が標準の状態であり、数時間または数日間持続することが意図されている。したがって、入口（３８Ａ）は、図２に示されるように小さく、しかしその小ささは、長時間コンパートメント（３０）を充填するのに十分である。
【００１５】
図３は、ディスペンサーが押されている状態の図２のトイレタンク上部カバーの切断面図である。
【００１６】
ディスペンサー（３２）が押された状態では入口（３８Ａ）は閉まっており、したがって液体洗剤（４８）のコンパートメント（３０）からチャンバー（５０）への流入（２０）がなされず；かつ、出口（３８Ｂ）は開いていて、それにより重力のみによって液体洗剤（４８）の一回量を分注する。
【００１７】
押されていない状態（５２Ａ）は、数秒間だけ持続することを意図されている。したがって、出口（３８Ｂ）は、図３に示すように大きく、重力のみによってコンパートメント（３０）の内容物の大部分またはすべてを空にするのに十分である。
【００１８】
ディスペンサー（３２）はポンプがないが、入口（３８Ａ）がコンパートメント（３０）を充填するのに長い時間を必要とするので、液体ディスペンサー（３２）のノブ（１８）を頻繁に押しても１回量のみが分注されるという点で有利である。
【００１９】
チャンバー（５０）は、入口（３８Ａ）あるいは出口（３８Ｂ）のいずれかを閉じるために、シリンダ（６０）内にスライド可能なピストンを構成する。シリンダ（６０）の高さ（６２）は、チャンバー（５０）の高さ（６４）より低い。
【００２０】
押された状態（５２Ｂ）では、出口（３８Ｂ）はシリンダ（６０）より下に配置され、それにより出口（３８Ｂ）を開き、かつ、入口（３８Ａ）はシリンダ（６０）の壁に対して配置され、それにより入口を閉じる。
【００２１】
図２を再び参照すると、押されていない状態（５２Ａ）では、入口（３８Ａ）はシリンダ（６０）の上に配置され、それにより、入口（３８Ａ）を開き、かつ、出口（３８Ｂ）はシリンダ（６０）の壁に対して配置され、それにより出口を閉じる。
【００２２】
図４は、図１のトイレタンク上部カバーによって覆われているトイレの斜視図である。
【００２３】
液体洗剤は、トイレタンク上部カバー（１０）の上部開口部（１７）から充填されてもよく、かつ、ノブ（１８）は同様にそこから押されてもよい。
【００２４】
−参照符号１０：トイレタンク上部；
−１２：先行技術のトイレタンク；
−１４：先行技術の水洗ノブ；
−１６：上部開口部（１７）へと液体洗剤を注ぐことに伴うくぼみ；
−１７：コンパートメント（３０）へと液体洗剤を注ぐための上部開口部；
−１８：手動でチャンバー（５０）を下げるためのノブ；
−１９：キャップ；
−２０：チャンバーの中への流入；
−２２：チャンバーからの流出；
−２６：バルブ（２８）を閉じるための先行技術のフロート；
−２８：先行技術の水洗バルブ；
−３２：ポンプではなく重力に基づくディスペンサー；
−３４：押されていない状態（５２Ａ）でチャンバー（５０）の底へシリンダ（６０）の底を密閉するためのシール；
−３８Ａ：チャンバーの入口；
−３８Ｂ：チャンバーの出口；
−４０：先行技術の排水管への底部シール；
−参照符号４６および４７は、押されていない状態（５２Ａ）でシリンダ（６０）に関連してチャンバー（５０）を正常に持ち上げるための、スプリングを示す；
−４８：液体洗剤；
−５０：１回量を含むためのチャンバー；
−５２Ａ：押されていない状態；
−５２Ｂ：押された状態；
−５４：コンパートメント（３０）の上部プレート；
−５６：トイレタンク（１２）の長さ；
−５８：トイレタンク（１２）の幅；
−６０：チャンバー（５０）の入口（３８Ａ）または出口（３８Ｂ）のいずれかを閉じるためのシリンダ；
−６２：シリンダ（６２）の高さ；
−６４：チャンバー（５０）の高さ；
−６６：コンパートメントの底であり、この底は、好ましくはチャンバー（５０）の方へ傾斜している。
【００２５】
参照符号は、任意の形態の請求項を限定するものとして解釈されるべきではない。
【図１】
0003215803.tif 000003
【図２】
0003215803.tif 000004
【図３】
0003215803.tif 000005
【図４】
0003215803.tif 000006